(57)【要約】【課題】  遊技盤に設けられる役物等の電気的駆動源を簡単且つ確実にアースさせノイズの抑制効果を高めたパチンコ機を得る。【解決手段】  内枠１４の裏面に着脱可能とされるアウト通路ユニット１６０に導電性金属材料により形成したアース板１６８及びアースバネ１７０を互いに接触させて設け、アウト通路ユニット１６０を内枠１４に取り付けた際に、アース板１６８の接触子２１２は遊技盤１００の内レール１０４の下端部後縁に、アースバネ１７０の接触部２１４は電源ボックス２５０のシャーシ２５２にそれぞれ圧接させる。また、遊技盤１００の外レールは内レール１０４に電気的に導通させる。外レール及び内レール１０４のアース接続は、遊技盤１００及びアウト通路ユニット１６０を内枠１４に取り付けることで完了するため、接続作業が簡単になる。また金属製の外レール、内レール１０４、及び、アース板１６８、アースバネ１７０によって高いアース効果が得られるため、役物の電気的駆動源等を外レール、内レール１０４に導通させることで簡単且つ確実にアースさせられる。【選択図】        図９
2005185752.tif 000002
【特許請求の範囲】
【請求項１】
パチンコ機本体と、
前記パチンコ機本体の前面に設けられ、遊技者の操作により発射された遊技球が盤面に沿って移動される遊技盤と、
前記遊技盤の盤面に設けられ、前記発射された遊技球を誘導するとともに遊技球が自重落下することにより遊技が行われる遊技領域を盤面上に構成する導電性金属材料により形成されたレール部材と、
前記パチンコ機本体の裏面に設けられ、導電性金属材料により形成された筐体を備えるとともにその筐体がアースされた電源部と、
前記電源部に隣接して配置されるとともに前記パチンコ機本体の裏面に着脱可能とされた着脱部材と、
前記着脱部材に設けられ、前記パチンコ機本体の裏面への取付状態で一端が前記レール部材に接触され、他端が前記電源部の筐体に接触される導電性金属材料により形成された第１導通部材と、
を有することを特徴とするパチンコ機。
【請求項２】
前記着脱部材に遊技球を案内する第１球通路が設けられていることを特徴とする請求項１記載のパチンコ機。
【請求項３】
前記着脱部材に隣接して配置されるとともに前記パチンコ機本体に着脱可能とされ、遊技球を案内する第２球通路が設けられた球通路部材と、前記球通路部材に設けられ、前記パチンコ機本体への取付状態で第１導通部材に接触される導電性金属材料により形成された第２導通部材と、を有することを特徴とする請求項１又は請求項２記載のパチンコ機。
【発明の詳細な説明】
【技術分野】
【０００１】
本発明は、パチンコ機に係り、詳細には、遊技盤に設けられる役物等をアースするためのアース手段を備えるパチンコ機に関する。
【背景技術】
【０００２】
近年のパチンコ機では、遊技の興趣を高めるため遊技盤の盤面に多様な動作をする役物を搭載する傾向にあり、それに伴い、役物の可動部を駆動させるモータやソレノイド等の多数の電気的駆動源が表示装置や制御回路等へのノイズ源として問題になっている。
【０００３】
このような役物の電気的駆動源が発生するノイズに対しては、遊技盤や遊技機本体の裏面に取り付けられる制御ユニットと、制御ユニットの取付ベースとの間に導電性部材を設け、制御ユニットを取付ベースに取り付けると導電性部材が制御ユニットの制御基板に接触してアースされるようにした技術がある（例えば、特許文献１参照）。また、遊技機本体の裏面に取り付ける裏セットを導電性樹脂材料によって形成し、この裏セットに、金属製の導通バネや他の導電性樹脂部材を介して遊技盤の盤面に設けられたレールをアースさせることにより、アース線の端子をネジ止めするような手間の掛かる接続作業を不要としてアース接続の作業性を良好にした技術もある（例えば、特許文献２参照）。
【特許文献１】特開平１１−３３３１１１号公報
【特許文献２】特開２００３−３０５２４９号公報
【発明の開示】
【発明が解決しようとする課題】
【０００４】
しかしながら、上記特許文献１に記載される技術では、制御ユニットはノイズから保護されるものの、役物自体から出されるノイズには対処していないため、制御ユニット以外の表示装置や信号ケーブル等にはノイズの影響が出てしまう問題がある。
【０００５】
一方、特許文献２に記載される技術では、アース接続の作業は簡単になるが、導電性樹脂材料の導電特性が成形温度等の成形条件によって変化するため、アース効果が不安定になりノイズの影響を十分に抑えられない問題がある。
【０００６】
本発明は上記事実を考慮して、遊技盤に設けられる役物等の電気的駆動源を簡単且つ確実にアースさせノイズの抑制効果を高めることができるパチンコ機を提供することを課題とする。
【課題を解決するための手段】
【０００７】
上記目的を達成するために請求項１に記載の発明は、パチンコ機本体と、前記パチンコ機本体の前面に設けられ、遊技者の操作により発射された遊技球が盤面に沿って移動される遊技盤と、前記遊技盤の盤面に設けられ、前記発射された遊技球を誘導するとともに遊技球が自重落下することにより遊技が行われる遊技領域を盤面上に構成する導電性金属材料により形成されたレール部材と、前記パチンコ機本体の裏面に設けられ、導電性金属材料により形成された筐体を備えるとともにその筐体がアースされた電源部と、前記電源部に隣接して配置されるとともに前記パチンコ機本体の裏面に着脱可能とされた着脱部材と、前記着脱部材に設けられ、前記パチンコ機本体の裏面への取付状態で一端が前記レール部材に接触され、他端が前記電源部の筐体に接触される導電性金属材料により形成された第１導通部材と、を有することを特徴している。
【０００８】
請求項１に記載の発明では、パチンコ機本体の前面に設けられた遊技盤は、盤面に設けられたレール部材によって盤面上に遊技領域が構成される。遊技においては、遊技盤の盤面と向き合う遊技者がパチンコ機を操作することにより遊技球が発射されると、その遊技球は、レール部材によって遊技盤の盤面に設けられた遊技領域に誘導され、遊技領域内を盤面に沿って移動する。この遊技球が遊技領域内を自重落下することにより遊技が行われる。
【０００９】
また、パチンコ機本体の裏面には、導電性材料により形成されるとともにアースされた筐体を備える電源部が設けられ、この電源部に隣接して配置される着脱部材をパチンコ機本体の裏面に取り付けると、着脱部材に設けられた第１導通部材の一端がレール部材に接触し、第１導通部材の他端が電源部の筐体に接触する。これにより、レール部材は第１導通部材を介して電源部の筐体に導通されアースされる。また、レール部材のアース接続は、遊技盤及び着脱部材をパチンコ機本体に取り付けることで完了するため、アース線等を接続する場合に比べてその接続作業が簡単になり、レール部材及び第１導通部材は高い導電性を有する導電性金属材料により形成されるため、高いアース効果が得られる。したがって、遊技盤の盤面に設けられる役物の電気的駆動源等をレール部材に導通させることにより、その電気的駆動源を簡単且つ確実にアースさせノイズの抑制効果を高めることができる。
【００１０】
請求項２に記載の発明は、請求項１記載のパチンコ機において、前記着脱部材に遊技球を案内する第１球通路が設けられていることを特徴としている。
【００１１】
請求項２に記載の発明では、着脱部材が導通部材を介して電源部の筐体に導通されアースされることにより、着脱部材に設けられた第１球通路を案内される遊技球に帯電した静電気や、第１球通路が遊技球に擦られることによって着脱部材に帯電する静電気を除電することができる。これにより、遊技球及び着脱部材に帯電した静電気によるノイズの影響が抑えられる。
【００１２】
請求項３に記載の発明は、請求項１又は請求項２記載のパチンコ機において、前記着脱部材に隣接して配置されるとともに前記パチンコ機本体に着脱可能とされ、遊技球を案内する第２球通路が設けられた球通路部材と、前記球通路部材に設けられ、前記パチンコ機本体への取付状態で第１導通部材に接触される導電性金属材料により形成された第２導通部材と、を有することを特徴としている。
【００１３】
請求項３に記載の発明では、着脱部材に隣接して配置される球通路部材をパチンコ機本体に取り付けると、球通路部材に設けられた第２導通部材が第１導通部材に接触する。これにより、第２導通部材は第１導通部材を介して電源部の筐体に導通されてアースされ、球通路部材に設けられた第２球通路を案内される遊技球に帯電した静電気や、第２球通路が遊技球に擦られることによって球通路部材に帯電する静電気を除電することができ、遊技球及び球通路部材に帯電した静電気によるノイズの影響が抑えられる。また、第２導通部材のアース接続は、球通路部材をパチンコ機本体に取り付けることで完了するためその接続作業が簡単になり、また第２導通部材は高い導電性を有する導電性金属材料により形成されるため、高いアース効果が得られる。
【発明の効果】
【００１４】
本発明のパチンコ機は上記構成としたので、遊技盤に設けられる役物等の電気的駆動源を簡単且つ確実にアースさせることができてノイズの抑制効果が高められる。
【発明を実施するための最良の形態】
【００１５】
以下、本発明の実施形態に係るパチンコ機について図面を参照して説明する。
【００１６】
図１には本発明の一実施形態に係るパチンコ機が示され、図２には本実施形態に係るパチンコ機に適用される内枠、ガラス枠、及び遊技盤が示されている。
【００１７】
図１に示されるように、パチンコ機１０は、パチンコ機１０の外郭を構成するとともにパチンコホールの島設備に設置される矩形状の外枠１２を備えている。外枠１２の前面には矩形額縁状の内枠１４が配置されており（図２参照）、内枠１４は、外枠１２に設けられた一対のヒンジ部１６、１８に左側端部が軸支されて開閉可能に取り付けられている。また外枠１２の前面下部には、化粧パネルとなる下飾り２０が取り付けられている。
【００１８】
内枠１４の前面上部には、ガラス板２２を装着したガラスフレーム２４を窓部２５に備えるガラス枠２６が配置されており、ガラス枠２６は左側端部が内枠１４に軸支されて開閉可能に取り付けられている。また、ガラスフレーム２４に装着されたガラス板２２は、図１の紙面奥行き方向に所定の間隔で互いに平行に配置された一対のガラス板からなる二重構造となっている。このガラス枠２６の裏面側となる内枠１４の上部には、矩形状の開口部２８が設けられている（図２参照）。開口部２８には、交換可能とされた遊技盤１００がセットされており、遊技盤１００は、ガラス枠２６を内枠１４に閉塞した状態でガラス枠２６（ガラス板２２）に覆われるようになっている。
【００１９】
ガラス枠２６の前面には、賞球表示灯や完了表示灯等としての機能を有する複数の表示灯１４０と、遊技の進行に応じて点灯又は点滅等し照明による演出効果を生み出す演出用の表示灯１４２とがガラス板２２（遊技盤１００の遊技領域）を取り囲むように配置されており、さらに左上隅及び右上隅には、賞球払出エラー及び払出状態エラー等の各種エラーを報知するエラー用の表示灯１４４が配置されている。また、各エラー用の表示灯１４４の内側には、遊技の効果音をステレオ出力するスピーカー１４６Ｌ、１４６Ｒが配設されている。
【００２０】
内枠１４の前面下部には、一般的な上皿及び下皿の機能を兼ね備える打球供給皿としての一体皿３０が配置されている。一体皿３０は、パネル部材３２の左側端部が内枠１４に軸支されて開閉可能に取り付けられており、パネル部材３２の前面には、上部に遊技球を貯える球皿部３４が形成された球皿本体３６が突設されている。
【００２１】
球皿部３４の底面は、正面視にて左側から右側へ下り傾斜しており、その傾斜方向下流側となる左側には、遊技球を１列に整列してパネル部材３２の裏面に配置された球送り装置（図示省略）に送り込むための整列通路が設けられている。パネル部材３２の前面の右側上部には、パチンコ機１０内に設けられた後述する賞球払出装置８６から払い出された賞球が排出される賞球排出口４６が形成されている。この賞球排出口４６から排出された賞球は球皿部３４に貯留され、球皿部３４内を左方向へ流下し整列通路により１列に整列されて球送り装置に送り込まれる。
【００２２】
また、パネル部材３２の前面における左側下部には灰皿３８が設けられ、右側下部には打球の飛距離を調整するための発射ハンドル３９が取り付けられている。
【００２３】
図２に示されるように、内枠１４の前面下部における一体皿３０の裏面側には、遊技盤１００の左下に発射装置４０が配置され、球皿本体３６の後方に位置して、内枠１４に着脱可能に構成された貯球タンク４２が２個のプラスチックファスナー４３によって取り付けられている。これらの発射装置４０及び貯球タンク４２は、一体皿３０を内枠１４に閉塞すると一体皿３０に覆われるようになっている。
【００２４】
貯球タンク４２は、上面が開口した箱型とされ、底面４４が正面視にて左側から右側へ下り傾斜している。底面４４の傾斜方向上流側となる貯球タンク４２の左側面部にはタンク入口９７が形成され（図４参照）が形成され、傾斜方向下流側となる貯球タンク４２の前面右側端部には、一体皿３０のパネル部材３２に設けられた賞球排出口４６と対応する位置にタンク出口４５が形成されている。したがって、一体皿３０を内枠１４に閉塞した状態では、貯球タンク４２と一体皿３０の球皿部３４とが、タンク出口４５及び賞球排出口４６を介して連通される。
【００２５】
また、一体皿３０のパネル部材３２裏面における賞球排出口４６の下方位置と、内枠１４前面の下部右側におけるタンク出口４５の下方位置とには、上下方向に移動可能とされたシャッター板がそれぞれ設けられている（図２では内枠１４側のシャッター板５０のみを図示している）。これらのシャッター板は、一体皿３０が閉塞されると各々下方へ移動して（図２に示したシャッター板５０の位置）、タンク出口４５と賞球排出口４６とを連通させ、一体皿３０が開放されると各々上方へ移動して、内枠１４側のシャッター板５０はタンク出口４５の下縁側を、一体皿３０側のシャッター板は賞球排出口４６の下縁側を塞ぐよう構成されている。このシャッター板により、一体皿３０を開放した際は、貯球タンク４２及び球皿部３４から遊技球（賞球）が流出しないようせき止められる。
【００２６】
図３及び図４に示されるように、内枠１４の裏面上部には、島設備の球補給装置から供給される遊技球を貯える貯留タンク８０が取り付けられている。貯留タンク８０は、底面８２が裏面視左側から右側へ向けて下り傾斜されており、右側端部には、遊技球をパチンコ機１０の前後方向（奥行き方向）に２列に整列する球整列通路（排出通路）８４が形成されている。
【００２７】
貯留タンク８０の右側には、賞球払出装置８６が配置されて球導入通路８７が球整列通路８４に接続されている。この球導入通路８７と一体的に設けられたケース８８内には、球払出機構として、球整列通路８４及び球導入通路８７に対応して前後方向に所定の間隔で配列されるとともに位相が異なる２枚のカム板部（スプロケット）を備えたカム軸１３０が収納されている。また、カム軸１３０を回転駆動する駆動源としてのステッピングモータ１３２は、内枠１４の裏面に取り付けられたモータカバー１３４内に収納されており、モータカバー１３４の裏面にケース８８を取り付けると、ステッピングモータ１３２にカム軸８８が連結される（図４では球導入通路８７及びケース８８の図示を省略している。）
賞球払出装置８６の下方には、内枠１４裏面の右側端部に、上下方向に延出された球通路部材９０が配置されている。球通路部材９０は、３個のプラスチックファスナー９２によって内枠１４の裏面に着脱可能に取り付けられており、上端部に形成された球導入口９４が賞球払出装置８６の球排出口８９に接続され、下端部左側に形成された球排出口９６が、貯球タンク４２の裏面視右側面部に形成されたタンク入口９７に接続されている（図４参照）。また、図４に示されるように、球通路部材９０の内部に形成された球通路９８は、賞球払出装置８６に設けられたカム軸１３０の２枚のカム板部と対応して前後方向に隣接配置された一対の通路からなる２条構造とされており、球導入口９４と接続された上端部付近から下部までの所定範囲が前後方向に蛇行状に屈曲され、下部から左方向へ屈曲されて球排出口９６に接続されている。
【００２８】
これにより、貯留タンク８０内へ供給された遊技球は、貯留タンク８０内を右方向へ流下しながら球詰まりとならないよう球整列通路８４により前後方向に２列に整列され、球導入通路８７を通って賞球払出装置８６のカム軸１３０へ送り込まれ、賞球払出装置８６の作動時に、ステッピングモータ１３２が回転駆動しカム軸１３０を回転させると、カム軸１３０の各カム板部によって球導入通路８７の各列から交互に球排出口８９を通り下方へ排出される。そして、球通路部材９０の各球導入口９４に入り、球通路部材９０内の各球通路９８を通って球排出口９６からタンク入口９７を介し貯球タンク４２内へ排出される。また、球通路部材９０内の球通路９８が蛇行状にされているため、球通路９８を流下する遊技球（賞球）の速度が抑えられて球通路９８の下端部に加わる遊技球の落下衝撃は緩和される。さらに、貯球タンク４２内が満杯になり、賞球払出装置８６によって継続して払い出された遊技球が球通路９８に滞留する場合でも、球通路９８の下流側に滞留した遊技球に掛かる上流側の遊技球による圧力は、球通路９８の蛇行形状によって減少されるため、球通路９８あるいは貯球タンク４２内での球詰まり発生が防止される。
【００２９】
さらに、球通路部材９０から、図２に示される貯球タンク４２の右側面部に形成されたタンク入口９７を介して貯球タンク４２内へ導入された遊技球（賞球）は、正面視にて左側から右側へ下り傾斜している貯球タンク４２の底面４４上を転動し、タンク出口４５及び賞球排出口４６を介して一体皿３０の球皿部３４へ排出される。そして球皿部３４が遊技球で満杯になると、球皿部３４に貯留しきれない余剰球は貯球タンク４２に貯留される。また、貯球タンク４２の底面４４における最上流部（正面視左側部）には球検出スイッチが設けられており、貯球タンク４２が遊技球で満杯になり、球検出スイッチが遊技球に押されて満杯であることが検出されると、その満杯状態が解消されるまで、賞球の払い出しが一時的に停止する。
【００３０】
図３に示されるように、内枠１４裏面の左側端部（正面視右側端部）には、上下方向に延出された施錠装置５２が取り付けられている。施錠装置５２の下部にはシリンダー錠（錠前）５４が設けられており、シリンダー錠５４の鍵孔５６は、内枠１４前面の右下部に設けられた台座５５から露出されている。
【００３１】
施錠装置５２の裏面側における上下端部近傍には、後方へ突出された一対の内枠固定用フック６０Ａ、６０Ｂが設けられている。施錠装置５２の前面側におけるガラス枠２６との対応位置には、一対のガラス枠固定用フック６２Ａ、６２Ｂが設けられており、このガラス枠固定用フック６２Ａ、６２Ｂは、内枠１４前面の右側端部に形成されたスリット６４Ａ、６４Ｂを通して前方へ突出されている。また、施錠装置５２の前面側における一体皿３０との対応位置には、上下方向にスライドする一対の一体皿固定用鍵受け部材６６Ａ、６６Ｂが設けられている。
【００３２】
これにより、内枠１４を外枠１２に閉塞すると、施錠装置５２の内枠固定用フック６０Ａ、６０Ｂが外枠１２の正面視右内側面設けられた一対の鍵受け部（図示省略）に係合し、内枠１４は外枠１２に保持される。ガラス枠２６を内枠１４に閉塞すると、ガラス枠２６裏面の右側端部に取り付けられているガラス枠補強板６８に設けられた一対の鍵受け部７０Ａ、７０Ｂが施錠装置５２のガラス枠固定用フック６２Ａ、６２Ｂに係合し、ガラス枠２６は内枠１４に保持される。また、一体皿３０を内枠１４に閉塞すると、一体皿３０裏面の右側端部に取り付けられている一対のフック（図示省略）が施錠装置５２の一体皿固定用鍵受け部材６６Ａ、６６Ｂに係合し、一体皿３０は内枠１４に保持される。
【００３３】
また、内枠固定用フック６０Ａ、６０Ｂ及びガラス枠固定用フック６２Ａ、６２Ｂは、シリンダー錠５４の鍵孔５６に図示しない鍵を差し込んで所定の方向に回すことにより、それぞれ係合状態が解除され解錠されるようになっている。一体皿固定用鍵受け部材６６Ａ、６６Ｂは、ガラス枠２６を開放すると露出される施錠装置５２の解除レバー７２を押し下げることにより、一体皿固定用鍵受け部材６６Ａ、６６Ｂが下方へスライドして一体皿３０の各フックとの係合状態が解除されるようになっている。
【００３４】
この施錠装置５２により、内枠１４は外枠１２に、ガラス枠２６は内枠１４にそれぞれ施錠されるとともに、一体皿３０は内枠１４にロックされて、それぞれ閉塞状態に固定される。
【００３５】
図２に示されるように、遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２、内レール１０４によって囲まれた円形状の領域は、遊技球が移動可能な遊技領域１０１とされている。
【００３６】
遊技領域１０１には、液晶ディスプレイを内蔵した特別図柄表示装置や、入賞口、始動口（スタート・チャッカー）、通過入賞口（スルー・チャッカー）、又、大入賞口（アタッカー）を備えた変動入賞装置（特別電動役物）がそれぞれ所定の位置に配置されると共に、遊技領域１０１内を落下する遊技球を所定の経路に誘導する多数の遊技釘等が設けられており（何れも図示省略）、最下位置にアウト口１２４が配置されている。
【００３７】
次に、本実施形態に係る遊技盤１００に搭載される役物の電気的駆動源、及びパチンコ機１０に取り付けられる貯球タンク４２、アウト通路ユニット１６０をアース接続する構成について説明する。
【００３８】
本実施形態では、遊技盤１００の盤面１００Ａに設けられた外レール１０２及び内レール１０４は導電性を有するＳＵＳ材等の金属材料によって形成されている。また、図２に示されるように、遊技盤１００の盤面１００Ａの右上部には、導電性を有する金属製の導通板１５０が設けられた盤面部材１５２が取り付けられており、導通板１５０の上端部には外レール１０２の右上端部が接触し、導通板１５０の下端部には内レール１０４の右上端部が接触している。この導通板１５０を介して、外レール１０２と内レール１０４は電気的に導通されている。
【００３９】
また、図３及び図４に示されるように、内枠１４の裏面下部には電源ボックス２５０が取り付けられており、電源ボックス２５０の後方にはアウト通路ユニット１６０及び払出発射制御基板２６０が配置されている。
【００４０】
電源ボックス２５０は、導電性を有する板金で箱型に形成されたシャーシ２５２を備えており、シャーシ２５２の内部に電源回路やトランス等が収納されている。この電源ボックス２５０には、島設備のコンセントに接続される電源ケーブル及び島設備のＧＮＤ端子に接続されるアース線が接続されており（何れも図示省略）、電源回路やシャーシ２５２はアース線を通じて島設備のＧＮＤ端子にアースされている。
【００４１】
払出発射制御基板２６０は、透明樹脂材料によってケース状に形成された回路アダプター２６２内に、基板本体（図示省略）が収納されて構成されている。基板本体には、パチンコ機１０を動作させるための各種制御信号を伝送する信号ケーブルが接続される複数のコネクタ２６６が実装されている。また、図７に示されるように、回路アダプター２６２の上端部には矩形板状のツメ片２６８が２個設けられ、下端部には貫通孔２７０が形成された取付部２７２が２個突設されており、この各取付部２７２の貫通孔２７０にはそれぞれプラスチックファスナー９２が挿入されるようになっている。
【００４２】
図５〜図８に示されるように、アウト通路ユニット１６０は、アウト通路を構成するアウト通路ベース１６２及びアウト通路カバー１６４、アウト球を検知するアウト球検知センサ１６６、遊技盤１００の内レール１０４に接触するアース板１６８、及び電源ボックス２５０のシャーシ２５２に接触するアースバネ１７０を備えている。
【００４３】
アウト通路ベース１６２は、導電性樹脂材料による成形品とされ、図示のように側面視にて逆さＬ字型とされた略矩形のプレート状に形成されている。アウト通路ベース１６２の上面は、遊技盤１００の各種入賞口に入賞して遊技盤１００の裏面側に誘導された入賞球（遊技球）が落下される球受け面１７２となっており、この球受け面１７２は前側から後側に向けて緩やかに下り傾斜している。
【００４４】
球受け面１７２の中央よりも一側寄りには、遊技盤１００のアウト口１２４に対応する球受け部１７４が形成されている。球受け部１７４は、球受け面１７２よりも一段低くされるとともにも球受け面１７２と同じ勾配で前側から後側に向けて下り傾斜しており、前後方向に沿って複数本のスリットが形成されている。
【００４５】
アウト通路ベース１６２の裏面には、所定の深さ寸法で凹設されたアウト通路溝１７６が形成されている。アウト通路溝１７６の上端部に設けられて球受け面１７２の後方に配置された球導入部１７８は、球受け面１７２と同幅寸法で左右方向に広く開口している。また、下端部に設けられた球排出部１８０は、１個の遊技球が通過できる程度の溝幅寸法とされている。これらの球導入部１７８及び球排出部１８０を繋いでいるアウト通路溝１７６は、溝幅寸法が上側（球導入部１７８側）から下側（球排出部１８０側）へ向けて縮小されるとともに、左右方向に蛇行している。また、球排出部１８０の近傍にはセンサ取付部１８２が設けられ、このセンサ取付部１８２にアウト球検知センサ１６６が嵌め込まれて取り付けられている。さらに、アウト通路ベース１６２の裏面における周縁部には、ネジ孔が形成された複数のボス１８４が突設されている。
【００４６】
アウト通路ベース１６２の左右上端部には、一対の取付板部１８６が突設されている。この一対の取付板部１８６には、それぞれプラスチックファスナー９２が取り付けられている。
【００４７】
アウト通路カバー１６４は、帯電防止樹脂材料による成形品とされ、図示のように略矩形のプレート状に形成されている。このアウト通路カバー１６４の周縁部には、アウト通路ベース１６２に設けられた複数のボス１８４と対応する複数の貫通孔１８８が形成されており、アウト通路カバー１６４は、前面をアウト通路ベース１６２の裏面に重ね合わせ、各貫通孔１８８が各ボス１８４のネジ孔に複数本のネジ１９０によってネジ止めされることによりアウト通路ベース１６２に取り付けられユニット化されている。アウト通路カバー１６４がアウト通路ベース１６２の裏面に取り付けられると、アウト通路溝１７６の裏面側の開口はアウト通路カバー１６４によって塞がれた状態となる。このアウト通路溝１７６とアウト通路カバー１６４の前面とによってアウト通路１９２（図６参照）が構成されている。
【００４８】
アウト通路カバー１６４の裏面には、上端部の左右角部近傍に、下面が開口した略直方体形状のフック１９４が２個設けられており、下端部の中央付近に、貫通孔１９６が形成されたボス１９８が２個突設されている。
【００４９】
各フック１９４には、払出発射制御基板２６０の回路アダプター２６２に設けられた各ツメ片２６８が嵌め入れされるようになっており、払出発射制御基板２６０の前面をアウト通路カバー１６４の裏面に重ね合わせて各ツメ片２６８を各フック１９４に嵌め入れると、アウト通路カバー１６４に対する払出発射制御基板２６０の取り付け位置が決められて回路アダプター２６２に設けられた各取付部２７２の貫通孔２７０がアウト通路カバー１６４の各ボス１９８の貫通孔１９６に略同心に位置合わせされる。この略同心に配置された貫通孔２７０及び貫通孔１９６に、プラスチックファスナー９２の先端を挿通させると、各ツメ片２６８が各フック１９４に嵌め入れた状態に保持され、払出発射制御基板２６０はアウト通路カバー１６４の裏面に固定されユニット化される。
【００５０】
一方、図８に示されるように、アウト通路ベース１６２の前面側には、球受け部１７４の前端部１７４Ａ及び下面部１７４Ｂと、球受け部１７４の下側に位置するアウト通路ベース１６２の前面部１６２Ａとに跨って略逆さＬ字形に形成されたアース板取付部２００が設けられている。
【００５１】
アース板取付部２００を構成する前端部１７４Ａの中央と、前面部１６２Ａの下部中央とには、それぞれネジ孔２０２が形成されており、アース板１６８及びアースバネ１７０はこのアース板取付部２００に取り付けられるようになっている。
【００５２】
アース板１６８は、導電性を有するＳＵＳ材等の板金とされ、アース板取付部２００の形状に沿った略逆さＬ字形に曲げ形成されている。アース板１６８の前端部２０４は、アース板取付部２００の下面部１７４Ｂに対応して前後方向に略水平に延出された上板部２０６の先端から上方へ略直角に曲げ加工されて形成されている。この前端部２０４の略中央と、アース板取付部２００の前面部１６２Ａに対応して上下方向に略直角に延出された下板部２０８の下部略中央には、それぞれ取付孔２１０が形成されている。また、前端部２０４の上縁中央には、前方へ突出されて略三角形状に曲げ形成された接触子２１２が設けられている。
【００５３】
アースバネ１７０は、導電性を有するＳＵＳ材等の板金とされ、中央に位置して前方へ突出され略半円形に曲げ形成された接触部２１４と、接触部２１４の上側に配置された平板状の取付部（基端部）２１６及び接触部２１４の下側に配置された平板状の支持部２１８（先端部）を備えている。また、取付部２１６の略中央には取付孔２２０が形成されている。
【００５４】
これらのアース板１６８及びアースバネ１７０は２本のネジ２２２によってアース板取付部２００にネジ止め固定されており、アース板１６８の前端部２０４の取付孔２１０は、アース板取付部２００の前端部１７４Ａのネジ孔２０２にネジ止めされ、アース板１６８の下板部２０８の取付孔２１０とアースバネ１７０の取付部２１６の取付孔２２０とは、アース板取付部２００の前面部１６２Ａのネジ孔２０２に共締めされている。これにより、アース板１６８とアースバネ１７０とは電気的に導通される。また、アースバネ１７０は、アース板取付部２００への取付状態では支持部２１８がアウト通路ベース１６２の前面に接触している。
【００５５】
以上の構成からなるアウト通路ユニット１６０及び払出発射制御基板２６０は、前述したように、払出発射制御基板２６０がアウト通路ユニット１６０のアウト通路カバー１６４の裏面にプラスチックファスナー９２により固定された状態でユニット化されており、そのユニット状態で、電源ボックス２５０の裏面側に隣接させて配置し、内枠１４の裏面に形成されている４個の取付孔（図示省略）に、各プラスチックファスナー９２の先端に設けられた拡縮部を挿入し、各プラスチックファスナー９２の頭部を押圧して拡縮部を拡径させ各取付孔に係合させることにより、内枠１４に固定されている。
【００５６】
また、内枠１４に着脱可能に構成された前述の貯球タンク４２は、導電性樹脂材料による成形品とされ、図９及び図１０に示されるように、後壁部２３０にアースクリップ２４０が取り付けられている。
【００５７】
アースクリップ２４０は、導電性を有するＳＵＳ材等の板金とされ、型加工によって全体が逆さＵ字状に形成されている。このアースクリップ２４０は、所定の間隔で前後に配置された一対の平板部（前板部及び後板部）によってクリップ状に形成されたクリップ本体２４２を備え、クリップ本体２４２には、クリップ本体２４２に上端が接続されてクリップ本体２４２の一部を所定の形状に切り抜くとともに、クリップ本体２４２に対して外方（前方又は後方）へ突出され略く字状に曲げ形成された接触片２４４が設けられている。そして、貯球タンク４２の後壁部２３０へは、クリップ本体２４２が後壁部２３０の上縁側から差し込まれ、クリップ本体２４２の後板部が後壁部２３０の裏面にネジ２４６によってネジ止めされることにより取り付けられている。
【００５８】
また、内枠１４には、貯球タンク４２のアースクリップ２４０と対応する部位に開口部２４８が形成されている。この開口部２４８には、貯球タンク４２を内枠１４に取り付けた際に、アースクリップ２４０の裏面側の接触片２４４が進入するようになっている。
【００５９】
次に、以上説明した本実施形態に係るパチンコ機１０の作用について説明する。
【００６０】
本実施形態のパチンコ機１０では、内枠１４の開口部２８に遊技盤１００が取り付けられ、内枠１４の裏面下部に電源ボックス２５０が取り付けられている状態で、電源ボックス２５０の裏面側にアウト通路ユニット１６０及び払出発射制御基板２６０を取り付けると、図９及び図１０に示されるように、球受け部１７４の前部が遊技盤１００のアウト口１２４の下方に配置され、アース板１６８の接触子２１２が内レール１０４の下端部の後縁に弾性変形して圧接する。また、アウト通路ユニット１６０（アウト通路ベース１６２）に設けられたアースバネ１７０の接触部２１４が電源ボックス２５０のシャーシ２５２に弾性変形して圧接する。これにより、盤面部材１５２の導通板１５０を介して導通された外レール１０２及び内レール１０４は、アース板１６８及びアースバネ１７０を介して電源ボックス２５０のシャーシ２５２に導通されアースされる。
【００６１】
また、外レール１０２及び内レール１０４のアース接続は、遊技盤１００及びアウト通路ユニット１６０を内枠１４に取り付けることで完了するため、アース線等を接続する場合に比べてその接続作業が簡単になる。また、外レール１０２、内レール１０４、及び、アース板１６８、アースバネ１７０は高い導電性を有する導電性金属材料により形成されるため、高いアース効果が得られる。したがって、遊技盤１００の盤面１００Ａ（遊技領域１０１）に設けられる役物の電気的駆動源等を外レール１０２、内レール１０４に導通させることにより、その電気的駆動源を簡単且つ確実にアースさせノイズの抑制効果を高めることができる。
【００６２】
また、本実施形態では、アウト通路ユニット１６０がアースバネ１７０を介して電源ボックス２５０のシャーシ２５２に導通されアースされることにより、アウト通路ユニット１６０に設けられた球受け面１７２、球受け部１７４、球導入部１７８を案内される遊技球に帯電した静電気や、それらの各通路部が遊技球に擦られることによってアウト通路ユニット１６０に帯電する静電気を除電することができる。これにより、遊技球及びアウト通路ユニット１６０に帯電した静電気によるノイズの影響が抑えられる。
【００６３】
また、本実施形態では、アースバネ１７０が取り付けられているアウト通路ベース１６２は導電性樹脂材料で形成されているため導電性が良好であり、したがって、帯電した静電気をアースバネ１７０へ逃がす除電効果が高くされ、ノイズによる影響が効率よく抑制される。一方、払出発射制御基板２６０が取り付けられるアウト通路カバー１６４は帯電防止樹脂材料で形成されているため、帯電しにくくなり払出発射制御基板２６０側へのノイズの影響が低減される。したがって、アウト通路ユニット１６０全体としてノイズの抑制効果が優れている。
【００６４】
また、本実施形態では、アウト通路ユニット１６０の前側に隣接して配置される貯球タンク４２を内枠１４に取り付けると、貯球タンク４２の後壁部２３０に設けられたアースクリップ２４０の接触片２４４が内枠１４の開口部２４８に進入し、アース板１６８の下板部２０８に弾性変形して圧接する。これにより、アースクリップ２４０はアース板１６８及びアースバネ１７０を介して電源ボックス２５０のシャーシ２５２に導通されてアースされ、貯球タンク４２に設けられたタンク通路２４９を案内される遊技球に帯電した静電気や、タンク通路２４９が遊技球に擦られることによって貯球タンク４２に帯電する静電気を除電することができ、遊技球及び貯球タンク４２に帯電した静電気によるノイズの影響が抑えられる。また、この貯球タンク４２のアース接続も、貯球タンク４２を内枠１４に取り付けることで完了するためその接続作業が簡単になり、またアースクリップ２４０は高い導電性を有する導電性金属材料により形成されるため、高いアース効果が得られる。また、この貯球タンク４２も導電性樹脂材料で形成されているため導電性が良好であり、帯電した静電気をアースクリップ２４０へ逃がす除電効果が高くされ、ノイズによる影響が効率よく抑制される。
【００６５】
以上、本発明を上述した特定の実施形態により詳細に説明したが、本発明はそれに限定されるものではなく、本発明の範囲内にて他の種々の実施形態が可能である。
【００６６】
例えば、上述した実施形態では球通路を備えるアウト通路ユニット１６０及び貯球タンク４２をアース接続するようにしているが、これ以外にも、賞球通路や球抜き通路等の他の球通路を備える通路部材、あるいは、球通路を備えてはいない他の着脱部材等を用いることが可能である。
【図面の簡単な説明】
【００６７】
【図１】本発明の一実施形態に係るパチンコ機を示す正面図である。
【図２】図１のパチンコ機における内枠、ガラス枠、及び遊技盤を示す正面側から見た斜視図である。
【図３】図１のパチンコ機における内枠、ガラス枠、及び遊技盤を示す裏面側から見た斜視図である。
【図４】図１のパチンコ機における内枠及び遊技盤を示すとともに球通路部材が取り外された状態を示す裏面側から見た斜視図である。
【図５】図１のパチンコ機に搭載されるアウト通路ユニット及び払出発射制御基板をユニット化した状態を示す裏面側から見た斜視図である。
【図６】図１のパチンコ機に搭載されるアウト通路ユニット及び払出発射制御基板をユニット化した状態を示す前面側から見た斜視図である。
【図７】図１のパチンコ機に搭載されるアウト通路ユニット及び払出発射制御基板を示す裏面側から見た分解斜視図である。
【図８】図１のパチンコ機に搭載されるアウト通路ユニット及び払出発射制御基板を示す前面側から見た分解斜視図である。
【図９】図１のパチンコ機における内枠の下部側を示す右側断面図である。
【図１０】図９の要部拡大図である。
【符号の説明】
【００６８】
１０        パチンコ機
１４        内枠（パチンコ機本体）
４２        貯球タンク（球通路部材）
１００        遊技盤
１００Ａ      盤面
１０１        遊技領域
１０２        外レール（レール部材）
１０４        内レール（レール部材）
１６０        アウト通路ユニット（着脱部材）
１６２        アウト通路ベース
１６４        アウト通路カバー
１６８        アース板（第１導通部材）
１７０        アースバネ（第１導通部材）
１７２        球受け面（第１球通路）
１７４        球受け部（第１球通路）
１７６        アウト通路溝（第１球通路）
１９２        アウト通路（第１球通路）
２１２        接触子（一端）
２１４        接触部（他端）
２４０        アースクリップ（第２導通部材）
２４９        タンク通路（第２球通路）
２５０        電源ボックス（電源部）
２５２        シャーシ（筐体）
【図１】
2005185752.tif 000003
【図２】
2005185752.tif 000004
【図３】
2005185752.tif 000005
【図４】
2005185752.tif 000006
【図５】
2005185752.tif 000007
【図６】
2005185752.tif 000008
【図７】
2005185752.tif 000009
【図８】
2005185752.tif 000010
【図９】
2005185752.tif 000011
【図１０】
2005185752.tif 000012